(57)【要約】【課題】ウェブページの閲覧を容易にする。【解決手段】受信したＨＴＭＬデータからリンク情報を抽出し、そのリンク情報のそれぞれに個別の記号を付与する記号付与部１０２を備えるとともに、その記号が入力されたときには、その記号に対応するリンク情報の示すウェブページへ移動する操作を行うリモコン情報処理部１０７を備える。これにより、画面に表示された記号をリモコン２などにより入力する簡単な方法でウェブページを閲覧することが可能となる。【選択図】図３
2008217228.tif 000002
【特許請求の範囲】
【請求項１】
ネットワーク上に配置されたウェブサーバが送信するウェブページを閲覧するウェブページ閲覧方法であって、
通信手段により、前記ウェブサーバからウェブページ情報を受信するステップと、
抽出手段により、前記ウェブページ情報から別のウェブページを指し示すリンク情報を抽出するステップと、
記号付与手段により、前記リンク情報の各々に対して１文字以上の記号を付与するステップと、
前記記号付与手段により、前記リンク情報と前記記号とを対応付けて記憶手段に記憶させるステップと、
前記記号付与手段により、前記記号を前記ウェブページ情報に追加するステップと、
表示手段により、前記記号が追加された前記ウェブページ情報を表示するステップと、
入力手段により、記号の入力を受け付けるステップと、
入力処理手段により、入力された前記記号に対応するリンク情報を前記記憶手段から検索して読み出し、当該リンク情報に対応するウェブページ情報を受信するように前記通信手段を操作するステップと、
を有することを特徴とするウェブページ閲覧方法。
【請求項２】
単語解析手段により、前記記憶手段から検索して読み出した前記リンク情報から単語を抽出し、単語記憶手段に記憶させるステップを有し、
前記記号を付与するステップにおいて、記号を付与するリンク情報に前記単語記憶手段に記憶されている単語が含まれている場合には、当該リンク情報には前記単語を含まないリンク情報よりも少ない文字数の記号を付与することを特徴とする請求項１記載のウェブページ閲覧方法。
【請求項３】
履歴管理手段により、前記記憶手段から検索して読み出した前記リンク情報と当該リンク情報に対応する前記記号とを対応付けて履歴記憶手段に記憶させるステップを有し、
前記記号を付与するステップにおいて、記号を付与するリンク情報が前記履歴記憶手段に記憶されているリンク情報と一致する場合には、当該リンク情報に対応する前記記号を前記履歴記憶手段から読み出して前記リンク情報に付与することを特徴とする請求項１又は２記載のウェブページ閲覧方法。
【請求項４】
前記記憶手段には、前記リンク情報として前記表示手段および前記通信手段を操作するコマンドが前記記号を付与されて記憶されており、
前記入力処理手段により、前記記憶手段から検索して読み出した前記リンク情報が前記コマンドであった場合には、当該コマンドに基づいて前記表示手段および前記通信手段を操作するステップを有することを特徴とする請求項１乃至３のいずれかに記載のウェブページ閲覧方法。
【請求項５】
前記記号を構成する文字は方向を表す文字であることを特徴とする請求項１乃至４のいずれかに記載のウェブページ閲覧方法。
【請求項６】
前記記号を構成する文字は数字であることを特徴とする請求項１乃至４のいずれかに記載のウェブページ閲覧方法。
【請求項７】
ネットワーク上に配置されたウェブサーバが送信するウェブページを閲覧するウェブページ閲覧装置であって、
前記ウェブサーバからウェブページ情報を受信する通信手段と、
前記ウェブページ情報から別のウェブページを指し示すリンク情報を抽出する抽出手段と、
抽出した前記リンク情報の各々に対して１文字以上の記号を付与し、当該リンク情報と前記記号とを対応付けて記憶手段に記憶させるとともに、前記記号を前記ウェブページ情報に追加する記号付与手段と、
前記記号が追加された前記ウェブページ情報を表示する表示手段と、
記号の入力を受け付ける入力手段と、
入力された前記記号に対応するリンク情報を前記記憶手段から検索して読み出し、当該リンク情報に対応するウェブページ情報を受信するように前記通信手段を操作する入力処理手段と、
を有することを特徴とするウェブページ閲覧装置。
【請求項８】
ネットワーク上に配置されたウェブサーバが送信するウェブページを閲覧するウェブページ閲覧プログラムであって、
前記ウェブサーバからウェブページ情報を受信する処理と、
前記ウェブページ情報から別のウェブページを指し示すリンク情報を抽出する処理と、
前記リンク情報の各々に対して１文字以上の記号を付与する処理と、
前記リンク情報と前記記号とを対応付けて記憶手段に記憶させる処理と、
前記記号を前記ウェブページ情報に追加する処理と、
前記記号が追加された前記ウェブページ情報を表示する処理と、
記号の入力を受け付ける処理と、
入力された前記記号に対応するリンク情報を前記記憶手段から検索して読み出し、当該リンク情報に対応するウェブページ情報を受信するように前記通信手段を操作する処理と、
をコンピュータに実行させることを特徴とするウェブページ閲覧プログラム。
【請求項９】
ネットワーク上に配置されたウェブサーバが送信するウェブページを閲覧するウェブページ閲覧プログラムを記録した記録媒体であって、
前記ウェブサーバからウェブページ情報を受信する処理と、
前記ウェブページ情報から別のウェブページを指し示すリンク情報を抽出する処理と、
前記リンク情報の各々に対して１文字以上の記号を付与する処理と、
前記リンク情報と前記記号とを対応付けて記憶手段に記憶させる処理と、
前記記号を前記ウェブページ情報に追加する処理と、
前記記号が追加された前記ウェブページ情報を表示する処理と、
記号の入力を受け付ける処理と、
入力された前記記号に対応するリンク情報を前記記憶手段から検索して読み出し、当該リンク情報に対応するウェブページ情報を受信するように前記通信手段を操作する処理と、
をコンピュータに実行させることを特徴とするウェブページ閲覧プログラムを記録した記録媒体。
【発明の詳細な説明】
【技術分野】
【０００１】
本発明は、ボタン操作によりウェブページを閲覧する技術に関する。
【背景技術】
【０００２】
近年、インターネットに接続する機能がゲーム機やテレビなどに搭載され、テレビ装置を利用してインターネットのウェブサイトを閲覧するようになってきた。
【０００３】
パーソナルコンピュータは卓上に設置しているので、マウスなどのポインティングデバイスを利用してウェブサイトを自由に閲覧することができるが、テレビ装置は離れた場所から見ることが多いので、マウスなどを接続し、テレビ装置の近くで閲覧操作を行うことに馴染みがない。
【０００４】
そのため、離れた位置から空中に持ち上げて使用できる、加速度センサー等を搭載したポインティングデバイスを使用するか、あるいは、テレビリモコンなどを用いて、画面上に表示されたリンクへのフォーカスを上下左右のカーソルキーを用いて移動する方法などが考えられていた。
【０００５】
また、ウェブページのブラウジングに必要なクリック操作を低減するために、シナリオを用いて順次表示する方法も提案されている（特許文献１参照）。
【特許文献１】特開２０００−３３６９号公報
【発明の開示】
【発明が解決しようとする課題】
【０００６】
図１０は、インターネット上のニュースサイトのウェブページを表示した画面を示す図である。ニュースの一覧を表示するウェブページは、同図に示す画面のように、ニュースヘッドラインや各ジャンルへのリンクが画面内に多数表示されている。
【０００７】
このようなウェブサイトにおいて、テレビリモコンのカーソルキーを使用する場合は、所望のリンクを選択するために何度もカーソルキーを押下する必要があった。また、押下されたカーソルキーに対応する方向に最も近いリンクへフォーカスが移動するが、ウェブページ上のリンクはウェブページの画面デザインに応じて配置されているため、カーソルキーを押下する毎にフォーカスがどのリンクへ移動したのかを実際に確認することが必要で煩わしいという問題があった。
【０００８】
また、空中に持ち上げて使用するポインティングデバイスでは、テレビ画面に表示された小さな表示面積のリンクを指定して選択することは困難であった。
【０００９】
一方、特許文献１に提案されている方法では、利用者が任意にリンク先へ移動することが困難であった。
【００１０】
本発明は、上記に鑑みてなされたものであり、その課題とするところは、少ない操作で容易にウェブページの閲覧を可能とすることにある。
【課題を解決するための手段】
【００１１】
第１の本発明に係るウェブページ閲覧方法は、ネットワーク上に配置されたウェブサーバが送信するウェブページを閲覧するウェブページ閲覧方法であって、通信手段により、ウェブサーバからウェブページ情報を受信するステップと、抽出手段により、ウェブページ情報から別のウェブページを指し示すリンク情報を抽出するステップと、記号付与手段により、リンク情報の各々に対して１文字以上の記号を付与するステップと、記号付与手段により、リンク情報と記号とを対応付けて記憶手段に記憶させるステップと、記号付与手段により、記号をウェブページ情報に追加するステップと、表示手段により、記号が追加されたウェブページ情報を表示するステップと、入力手段により、記号の入力を受け付けるステップと、入力処理手段により、入力された記号に対応するリンク情報を記憶手段から検索して読み出し、当該リンク情報に対応するウェブページ情報を受信するように通信手段を操作するステップと、を有することを特徴とする。
【００１２】
本発明にあっては、受信したウェブページ情報に記述されているリンク情報を抽出し、抽出したリンク情報のそれぞれに対して異なる記号を付与して記憶手段に記憶させるとともに、ウェブページ情報に付与した記号を追加して表示することにより、利用者は、表示手段により表示された記号を入力することで、入力された記号に対応するリンク情報を記憶手段から検索し、そのリンク情報が指し示すウェブページへ移動することができるので、容易にウェブページを閲覧することを可能とする。
【００１３】
上記ウェブページ閲覧方法において、単語解析手段により、記憶手段から検索して読み出したリンク情報から単語を抽出し、単語記憶手段に記憶させるステップを有し、記号を付与するステップにおいて、記号を付与するリンク情報に単語記憶手段に記憶されている単語が含まれている場合には、当該リンク情報には単語を含まないリンク情報よりも少ない文字数の記号を付与することを特徴とする。
【００１４】
本発明にあっては、リンク情報に記号を付与する際に、そのリンク情報が、利用者が以前選択したリンク情報から単語を抽出して単語を記憶させた単語記憶手段に記憶された単語を含んでいる場合には、より少ない文字数の記号を付与することで、利用者の関心の高いリンクには、より文字数の少ない記号を付与することができ、利用者がウェブページを閲覧するときの操作を軽減することができる。
【００１５】
上記ウェブページ閲覧方法において、履歴管理手段により、記憶手段から検索して読み出したリンク情報と当該リンク情報に対応する記号とを対応付けて履歴記憶手段に記憶させるステップを有し、記号を付与するステップにおいて、記号を付与するリンク情報が履歴記憶手段に記憶されているリンク情報と一致する場合には、当該リンク情報に対応する記号を履歴記憶手段から読み出してリンク情報に付与することを特徴とする。
【００１６】
本発明にあっては、利用者が以前選択したリンク情報とそのリンク情報に付与した記号を対応付けて記憶させる履歴記憶手段を備えることにより、同じリンクには、同じ記号を付与することができるので、利用者は、よく利用するリンクについて同一の記号を入力すればよいので、表示画面を詳細に確認しなくてもウェブページを閲覧することが可能となる。
【００１７】
上記ウェブページ閲覧方法において、記憶手段には、リンク情報として表示手段および通信手段を操作するコマンドが記号を付与されて記憶されており、入力処理手段により、記憶手段から検索して読み出したリンク情報がコマンドであった場合には、当該コマンドに基づいて表示手段および通信手段を操作するステップを有することを特徴とする。
【００１８】
本発明にあっては、ウェブページを閲覧するときに利用する再表示、読み込み停止などのコマンドに対してもリンク情報と同じように記号を付与することにより、利用者のウェブページの閲覧の利便性を高めることができる。
【００１９】
上記ウェブページ閲覧方法において、記号を構成する文字は方向を表す文字であることが記号の入力を容易にするうえで望ましい。
【００２０】
上記ウェブページ閲覧方法において、記号を構成する文字は数字であることが記号の入力を容易にするうえで望ましい。
【００２１】
第２の本発明に係るウェブページ閲覧装置は、ネットワーク上に配置されたウェブサーバが送信するウェブページを閲覧するウェブページ閲覧装置であって、ウェブサーバからウェブページ情報を受信する通信手段と、ウェブページ情報から別のウェブページを指し示すリンク情報を抽出する抽出手段と、抽出したリンク情報の各々に対して１文字以上の記号を付与し、当該リンク情報と記号とを対応付けて記憶手段に記憶させるとともに、記号をウェブページ情報に追加する記号付与手段と、記号が追加されたウェブページ情報を表示する表示手段と、記号の入力を受け付ける入力手段と、入力された記号に対応するリンク情報を記憶手段から検索して読み出し、当該リンク情報に対応するウェブページ情報を受信するように通信手段を操作する入力処理手段と、を有することを特徴とする。
【００２２】
第３の本発明に係るウェブページ閲覧プログラムは、ネットワーク上に配置されたウェブサーバが送信するウェブページを閲覧するウェブページ閲覧プログラムであって、ウェブサーバからウェブページ情報を受信する処理と、ウェブページ情報から別のウェブページを指し示すリンク情報を抽出する処理と、リンク情報の各々に対して１文字以上の記号を付与する処理と、リンク情報と記号とを対応付けて記憶手段に記憶させる処理と、記号をウェブページ情報に追加する処理と、記号が追加されたウェブページ情報を表示する処理と、記号の入力を受け付ける処理と、入力された記号に対応するリンク情報を記憶手段から検索して読み出し、当該リンク情報に対応するウェブページ情報を受信するように通信手段を操作する処理と、をコンピュータに実行させることを特徴とする。
【発明の効果】
【００２３】
本発明によれば、少ない操作で容易にウェブページの閲覧を可能とすることができる。
【発明を実施するための最良の形態】
【００２４】
以下、本発明の実施の形態について図面を用いて説明する。
【００２５】
図１は、本実施の形態におけるウェブページ閲覧システムの全体の構成を示す概略図である。同図に示すウェブページ閲覧システムは、ウェブページ閲覧装置を組み込んだテレビ装置１、離れた場所からテレビ装置１を操作するためのリモコン２およびインターネットに接続するための通信モデム３を備えている。テレビ装置１は通信モデム３に接続されており、通信モデム３を介してインターネットに接続される。リモコン２は、赤外線、Bluetooth（登録商標）などの無線通信によりテレビ装置１を操作する。本ウェブページ閲覧システムは、テレビ装置１の画面にウェブページを表示する際に、そのウェブページ内のリンク先に記号を付与して表示し、その記号をリモコン２により入力することで、その記号に対応するリンク先へ移動することが可能となるものである。
【００２６】
図２は、本実施の形態におけるウェブページ閲覧システムに利用されるリモコン２の概略を示す図である。同図に示すように、リモコン２は、電源ボタン２１、ネットボタン２２、方向ボタン２３、確定ボタン２４、数字ボタン２５、チャンネルボタン２６および音量ボタン２７を備えている。ネットボタン２２は、インターネット閲覧の開始を指示するためのボタンであり、ネットボタン２２を押下することにより、テレビ装置１は通信モデム３を介してインターネットに接続し、ウェブサイトの閲覧を開始することができる。方向ボタン２３、数字ボタン２５などのボタンを使用してリンク先を示す記号の入力を行うことでウェブページの閲覧をする。
【００２７】
図３は、本実施の形態におけるウェブページ閲覧装置を組み込んだテレビ装置１の構成を示すブロック図である。同図に示すテレビ装置１は、インターネット通信部１０１、記号付与部１０２、マップ記憶部１０３、ブラウザ部１０４、表示部１０５、リモコン通信部１０６及びリモコン情報処理部１０７を備え、さらに、ウェブページの閲覧履歴に関する情報を管理するものとして単語解析部１０８、単語データベース部１０９、利用単語記憶部１１０及び利用マップ記憶部１１１を備えている。本ウェプページ閲覧装置は、専用のハードウエアによって構成するものとしてもよいし、演算処理装置、記憶装置、メモリ等を備えたコンピュータにより構成し、各部の処理をプログラムによって実行されるものとしてもよい。このプログラムはウェブページ閲覧装置が備えた記憶装置などに記憶されており、ＣＤ−ＲＯＭ、磁気ディスク、光ディスク、半導体メモリ等の記録媒体に記録することも、ネットワークを通して提供することも可能である。以下、各部の詳細について説明する。
【００２８】
インターネット通信部１０１は、接続された通信モデム３を介してインターネットに接続し、表示するウェブページ情報としてＨＴＭＬ（Hyper Text Markup Language）データを受信する。
【００２９】
記号付与部１０２は、受信したＨＴＭＬデータからウェブサイトのＵＲＬ（Uniform Resource Locator）やそのＵＲＬに対応して記述された文字列などのリンク情報を抽出し、リンク情報の各々に対して記号を付与する。そして、付与された記号とリンク情報とを対応付けてマップ情報としてマップ記憶部１０３に記憶させる。また、付与された記号はＨＴＭＬデータ内のリンクに対応する文字列に埋め込まれる。これにより、付与された記号を表示画面内で確認することができる。
【００３０】
ブラウザ部１０４は、記号付与部１０２において付与された記号が埋め込まれたＨＴＭＬデータを入力し、表示データに変換して表示部１０５において表示する。利用者は、付与された記号が埋め込まれた表示画像を参照し、リモコン２によりその記号を入力することによりリンクを選択する。
【００３１】
リモコン通信部１０６は、リモコン２により送信されたボタン操作を受信し、リモコン情報処理部１０７に出力する。
【００３２】
リモコン情報処理部１０７は、リモコン通信部１０６から入力したリモコン２のボタン操作に基づいてブラウザ部１０４を操作する。このとき、入力されたボタン操作がマップ記憶部１０３に記憶された記号に対応するものである場合には、マップ記憶部１０３からその記号に対応するリンク情報を読み出し、ブラウザ部１０４に対して読み出したリンク先を表示するように操作を行う。
【００３３】
また、単語解析部１０８は、リモコン情報処理部１０７から選択されたリンク情報を入力し、そのリンク情報を解析して閲覧履歴に関する情報を更新する。
【００３４】
利用単語記憶部１１０には、単語データベース部１０９に登録されている単語で利用者が選択したリンク情報に含まれていた単語が記憶される。この利用単語記憶部１１０に記憶されている単語を含むリンク情報に、より文字数の短い記号を付与することで、利用者は、関心の高いリンク先をより少ないボタン操作で閲覧することができる。
【００３５】
利用マップ記憶部１１１には、選択したリンク情報とそのリンク情報に付与された記号とが対応付けて記憶されている。この利用マップ記憶部１１１を参照することにより、訪れたことのあるリンク情報には、同一の記号を付与することができる。
【００３６】
次に、図を用いて本実施の形態におけるウェブページ閲覧システムの動作について説明する。図４は、ウェブページ閲覧システムの動作の流れを示すフローチャートである。
【００３７】
利用者が、リモコン２のネットボタン２２を押下することでウェブページの閲覧が開始される。
【００３８】
まず、リモコン通信部１０６により、リモコン２のネットボタン２２が押下された信号が受信され、リモコン情報処理部１０７に出力される。リモコン情報処理部１０７は、ネットボタン２２の押下を検出すると、ブラウザ部１０４に対しブラウザの起動を命令する。
【００３９】
ブラウザ部１０４は、ブラウザ起動命令を受信すると、予め記憶された起動時に開くウェブサイトのＵＲＬを記号付与部１０２に送信し、表示するウェブページのデータの取得を試みる。
【００４０】
記号付与部１０２は、ＵＲＬのリクエスト命令を受信すると、インターネット通信部１０１、通信モデム３を介してＵＲＬに対応するウェブサーバと通信し、ＨＴＴＰ（Hypertext Transfer Protocol）を用いてＨＴＭＬデータを取得し、記憶装置に記憶させる（Ｓ１００）。
【００４１】
記号付与部１０２は、取得したＨＴＭＬデータ内のリンク先を示すＵＲＬと文字列を検索して抽出する。そして、ＵＲＬと文字列の対からなるリンク情報を記憶装置に記憶させる（Ｓ１０１）。なお、リンク情報は順番をつけてリンク情報リストとして管理されている。このとき、抽出されたＵＲＬが相対パスで記述されていた場合には、絶対パスのＵＲＬに変換しておく。
【００４２】
具体的には、ＨＴＭＬデータ内から＜a＞タグの中に記載された href 属性の値をリンク先を示すＵＲＬとして抽出し、＜a＞タグと＜/a＞タグに囲まれた文字列から他のタグを取り除いた文字列をリンク先を示す文字列として抽出する。例えば、受信したＨＴＭＬデータ内に＜a href="http://xxx/local/nagoya/"＞＜b＞＜font size="+1"＞名古屋＜/font＞＜/b＞＜/a＞という記述があった場合は、リンク先を示すＵＲＬとして "http://xxx/local/nagoya/" が抽出され、リンク先を示す文字列としては「名古屋」が抽出される。そして、抽出したＵＲＬと文字列を対応つけてリンク情報として記憶装置に記憶させる。
【００４３】
よく訪れるリンク先に関連する文字列を含むものにはより短い記号を付与するために、利用者の関心の高い単語を含むリンク情報を検索し、リンク情報リストの並べ替えを行う。具体的には、利用単語記憶部１１０に記憶されている利用単語リストを読み出し、その利用単語リストに登録されている利用単語がリンク情報リストに登録されたリンク情報の文字列に含まれているか否かを調べる。利用単語を含むリンク情報を検出した場合には、そのリンク情報をリンク情報リストの先頭に並べ替える。これにより、利用者の関心の高いリンク情報がリンク情報リストの前の方に集められる。
【００４４】
そして、ＨＴＭＬデータからリンク情報を抽出し、リンク情報リストを作成した後は、記号付与部１０２により、リンク情報リストに登録されたリンク情報のそれぞれに固有の記号を付与し、リンク情報と付与した記号とを対応付けてマップ情報としてマップ記憶部１０３に記憶させる（Ｓ１０２）。記号は、１文字以上の文字列で構成され、リモコン２により容易に入力することができるものである。
【００４５】
このとき、前に訪れたことのあるリンク先には前回と同じ記号を付与するために、利用マップ記憶部１１１からリンク情報を読み出し、リンク情報リストに登録されたリンク情報とマッチングする。利用マップ記憶部１１１から読み出したリンク情報のＵＲＬと一致するＵＲＬを持つリンク情報がリンク情報リスト内あれば、前にそのリンク情報に付与した記号を利用マップ記憶部１１１から読み出し、該当するリンク情報に同一の記号を付与する。
【００４６】
記号付与部１０２は、リンク情報リストにおいて記号が付与されていないリンク情報に対し、リストの先頭から順に記号が重複しないように付与し、マップ情報としてマップ記憶部１０３に記憶させる。このとき、リンク情報リストの先頭から文字数の少ない記号を付与することにより、利用者の関心の高いリンク先へは、少ない記号の入力で移動することができる。
【００４７】
また、履歴を戻る、スクロールダウン、検索などのコマンドに記号を割り当ててリンク情報としてリンク情報リストに登録しても良い。この場合、リンク情報には、ＵＲＬの代わりにコマンドが登録される。これにより、リモコン２に各コマンドに対応するボタンが無い場合でも、リモコン２で各コマンドに割り当てられた記号を入力することでウェブページ閲覧の操作をすることができる。
【００４８】
図５は、マップ記憶部１０３に記憶されたマップ情報のリストを示す図である。同図に示すように、マップ情報は、ＨＴＭＬデータから抽出されたＵＲＬや文字列などのリンク情報と、そのリンク情報に付与された記号で構成されている。同図に示すマップ情報では、利用単語記憶部１１０に「名古屋」及び「テニス」という単語が記憶されていたので、それらの単語を含むリンク情報はリストの上位に配置され、「↑」や「→」などの短い文字数の記号が付与されている。なお、同図に示す例では、ＵＲＬの代わりに "back" や "forward" などのコマンドに記号を付与したマップ情報も登録されている。
【００４９】
さらに、記号付与部１０２により、リンク情報に付与した記号がＨＴＭＬデータ内の＜a＞タグと＜/a＞タグに囲まれた文字列に書き加えられる。これにより、利用者は、リンク情報に付与された記号を表示画面で確認することが可能となる。
【００５０】
次に、ブラウザ部１０４は、記号が書き加えられたＨＴＭＬデータを受信し、表示データに変換して表示部１０５において表示する（Ｓ１０３）。図６は、表示部１０５において表示された表示画面を示す図である。同図に示すように、各リンクには、付与された記号が確認できるように表示されている。なお、「スクロールアップ」や「スクロールダウン」などのコマンドにも記号が付与され、画面内に表示されている。
【００５１】
利用者は、表示部１０５に表示された画面の記号を参照して、訪れたいリンク先に対応する記号をリモコン２により入力する（Ｓ１０４）。例えば、図６に示した画面が表示されていたときに、「野球」に関するニュースを見たい場合には、「野球」のリンクに付与された記号「↑↑↑」を入力するために、「↑」の方向ボタン２３を３回押下し、確定ボタン２４により決定する。リモコン２により、押下されたボタンの情報はテレビ装置１に送信される。
【００５２】
リモコン通信部１０６は、押下されたボタンの情報を受信し、リモコン情報処理部１０７へ出力する。リモコン情報処理部１０７は、押下されたボタンの情報に基づいて記号を作成し、マップ記憶部１０３に記憶されたマップ情報から、同一の記号を有するマップ情報を検索する（Ｓ１０５）。検索したマップ情報からＵＲＬあるいはコマンドを取得する。取得したコマンドがスクロールダウンなどの画面の表示に関するものである場合には、ブラウザ部１０４へコマンドを送り、ブラウザ部１０４は、該当する処理を行い再び画面を表示する（Ｓ１０７）。例えば、図５に示すマップ情報がマップ記憶部１０３に記憶されているときに、「↓↓」という記号が入力された場合、"scroll down" というコマンドが取得できるので、ブラウザ部１０４には、スクロールダウン命令が送られる。
【００５３】
マップ情報からＵＲＬを取得した場合には、そのＵＲＬが示すウェブサイトへ移動する（Ｓ１０６）。例えば、図５に示すマップ情報がマップ記憶部１０３に記憶されているときに、「↑↑↑」という記号が入力された場合、"http://xxxx/baseball/" というＵＲＬが取得できるので、ブラウザ部１０４には、そのＵＲＬへの移動命令が送られる。
【００５４】
さらに、ＵＲＬを取得し別のウェブページへ移動する際には、利用単語記憶部１１０及び利用マップ記憶部１１１の更新を行う（Ｓ１０８）。具体的には、入力された記号に基づいてマップ記憶部１０３からマップ情報を読み出したリモコン情報処理部１０７は、そのマップ情報を単語解析部１０８へ出力する。単語解析部１０８は、入力したマップ情報を利用マップ記憶部１１１に記憶させる。このとき、利用マップ記憶部１１１の記憶空間の制限をオーバーする場合には、最も古いマップ情報を削除する。また、単語解析部１０８は、入力したマップ情報から単語データベース部１０９に登録されている単語を抽出して利用単語記憶部１１０に記憶させる。このとき、利用単語記憶部１１０の記憶空間の制限をオーバーする場合には、最も古い単語情報を削除する。なお、別のウェブページへ移動するときには、マップ記憶部１０３に記憶されたマップ情報を削除する。また、コマンドに関するマップ情報は、ウェブページが移動しても変化しないので削除しなくても良い。
【００５５】
次に、検索コマンドについて説明する。検索コマンドとは、指定の文字列を検索するコマンドであり、検索コマンドと検索するキーワードが記号を付与されてマップ記憶部１０３に記憶されている。図５に示すマップ情報では、記号「←→」に、検索コマンド "find" が割り当てられており、この記号を入力することで「山田太郎」という文字列を検索することができる。検索する文字列は、図７に示す検索キーワード設定画面により指定する。設定されたキーワードは、検索コマンドとともに記号が付与されてマップ記憶部１０３に記憶される。これにより、簡単な入力で指定の文字列を含むリンクなどを検索することができる。なお、検索キーワード設定画面には、図６の表示画面の「検索設定」に示されているように、「→→→→」を入力することで移動することができる。
【００５６】
次に、方向ボタン２３以外のボタンを記号の入力に用いる例を示す。図８は、本ウェブページ閲覧システムで用いられる別のマップ情報を示す図である。図５に示したマップ情報に対して、付与した記号に数字を用いている点が異なっている。図９は、図８に示したマップ情報に基づいて表示された画面を示す図である。テレビ用のリモコンには、チャンネルを選択する数字ボタンを備えているものが多いので、図８、図９に示すように、数字を記号として付与してもよい。もちろん、数字ボタンと方向ボタンを組み合わせた記号を付与するものでもよい。このように、リモコン２に備わったボタンに対応する記号を用いることで、利用者は容易に記号を入力することができる。
【００５７】
なお、確定ボタン２４を押下して記号の入力を確定する必要はなく、なんらかのボタンが押されたのち、一定時間次のボタンが押されなかった場合に、それ以前に押されたボタンによって入力された記号を確定してもよい。
【００５８】
また、ウェブページ閲覧装置は、テレビ装置に内蔵されるものに限らず、パーソナルコンピュータで利用しても良いし、ウェブページを閲覧できる携帯電話などの携帯端末に用いても良い。携帯電話で利用する場合には、記号を入力するためにリモコンを使用せず、携帯電話が備えたダイアル用のボタンにより記号を入力するとよい。
【００５９】
したがって、本実施の形態によれば、受信したＨＴＭＬデータからリンク情報を抽出し、そのリンク情報のそれぞれに個別の記号を付与する記号付与部１０２を備えるとともに、その記号が入力されたときには、その記号に対応するリンク情報の示すウェブページへ移動する操作を行うリモコン情報処理部１０７を備えることにより、画面に表示された記号をリモコン２などにより入力する簡単な方法でウェブページを閲覧することが可能となる。
【００６０】
本実施の形態によれば、利用者が選択したリンク情報に含まれている単語を記憶する利用単語記憶部１１０を備えることにより、利用者の関心の高いリンク情報を選別し、より短い文字数の記号を付与することができるので、利用者は、より少ない記号の入力でウェブページを閲覧することが可能となる。
【００６１】
本実施の形態によれば、利用者が以前選択したリンク情報とそのリンク情報に付与された記号とを記憶する利用マップ記憶部１１１を備えることにより、同一のリンク情報に対しては、同一の記号を付与することが可能となるので、利用者は、よく利用するリンク先について身体でボタン操作を覚えることができ、表示画面を詳細に確認しなくてもウェブページを閲覧することが可能となる。
【００６２】
本実施の形態によれば、ブラウザ部１０４を操作するコマンドに対してもリンク情報と同様に記号を付与することにより、リモコン２にコマンド用の特別なボタンを備えなくてもウェブページの閲覧を可能とする。
【００６３】
本実施の形態によれば、検索コマンドに対して予めキーワードを設定し、記号を付与することにより、簡単な操作でそのキーワードを含むリンクが存在するか否かを確認することができる。
【図面の簡単な説明】
【００６４】
【図１】一実施の形態におけるウェブページ閲覧システムの構成を示す概略図である。
【図２】図１に使用されるリモコンの構成を示す概略図である。
【図３】図１に使用されるウェブページ閲覧装置を組み込んだテレビ装置の構成を示すブロック図である。
【図４】図１に示すウェブページ閲覧システムの処理の流れを示すフローチャートである。
【図５】図１に示すウェブページ閲覧システムで使用されるリンク情報リストを示す説明図である。
【図６】図１に示すウェブページ閲覧システムで表示される画面を示す説明図である。
【図７】図１に示すウェブページ閲覧システムで使用される検索キーワード設定画面を示す説明図である。
【図８】図１に示すウェブページ閲覧システムで使用される別のリンク情報リストを示す説明図である。
【図９】図１に示すウェブページ閲覧システムで表示される別の画面を示す説明図である。
【図１０】ウェブページを表示した従来の画面を示す説明図である。
【符号の説明】
【００６５】
１…テレビ装置
２…リモコン
３…通信モデム
２１…電源ボタン
２２…ネットボタン
２３…方向ボタン
２４…確定ボタン
２５…数字ボタン
２６…チャンネルボタン
２７…音量ボタン
１０１…インターネット通信部
１０２…記号付与部
１０３…マップ記憶部
１０４…ブラウザ部
１０５…表示部
１０６…リモコン通信部
１０７…リモコン情報処理部
１０８…単語解析部
１０９…単語データベース部
１１０…利用単語記憶部
１１１…利用マップ記憶部
【図１】
2008217228.tif 000003
【図２】
2008217228.tif 000004
【図３】
2008217228.tif 000005
【図４】
2008217228.tif 000006
【図５】
2008217228.tif 000007
【図６】
2008217228.tif 000008
【図７】
2008217228.tif 000009
【図８】
2008217228.tif 000010
【図９】
2008217228.tif 000011
【図１０】
2008217228.tif 000012